(57)【要約】【課題】ＰＰＶ対応テレビジョン受像機として機能させるための初期設定作業を簡素化する。【解決手段】テレビジョン受像機の電源を投入すると、テレビジョン受像機のマイコンはメモリに記憶されているモード情報の値を読み出し、読み出した値に従って各種処理を実行する。デフォルト値として記憶されているモード情報の値は、ＰＰＶ−ＴＶモードのルーム（ROOM）モードであるので、テレビジョン受像機はＰＰＶ−ＴＶモードのルームモードに設定され、そのモードに対応する処理が実行される。【選択図】図２
2007180807.tif 000002
【特許請求の範囲】
【請求項１】
デフォルト値としてＰＰＶ−ＴＶモードを示す値をモード情報として記憶する記憶手段と、
前記記憶手段によって記憶されている前記モード情報の値に基づいて、電源投入後に前記ＰＰＶ−ＴＶモードでの処理を実行する処理手段と
を備えることを特徴とするテレビジョン受像機。
【請求項２】
前記ＰＰＶ−ＴＶモードは、各種設定を行うためのマスタモードと、利用者が番組を視聴するルームモードとを有し、デフォルト値として前記ＰＰＶ−ＴＶモードを示す値およびルームモードを示す値が前記モード情報として前記記憶手段によって記憶されている
ことを特徴とする請求項１に記載のテレビジョン受像機。
【請求項３】
各チャンネルの周波数帯に基づいて、指定されたチャンネル番号の周波数を検索し、選局する選局手段と、
前記選局手段によって検索された前記周波数と前記チャンネル番号とを対応づけて記憶するチャンネル周波数記憶手段とをさらに備える
ことを特徴とする請求項１または２に記載のテレビジョン受像機。
【請求項４】
デフォルト値としてＰＰＶ−ＴＶモードを示す値をモード情報として記憶する記憶ステップと、
前記記憶ステップにおいて記憶された前記モード情報の値に基づいて、電源投入後に前記ＰＰＶ−ＴＶモードでの処理を実行する処理ステップと
を備えることを特徴とするテレビジョン受像機の制御方法。
【請求項５】
前記ＰＰＶ−ＴＶモードは、各種設定を行うためのマスタモードと、利用者が番組を視聴するルームモードとを有し、デフォルト値として前記ＰＰＶ−ＴＶモードを示す値およびルームモードを示す値が前記モード情報として前記記憶ステップにおいて記憶される
ことを特徴とする請求項４に記載のテレビジョン受像機の制御方法。
【請求項６】
各チャンネルの周波数帯に基づいて、指定されたチャンネル番号の周波数を検索し、選局する選局ステップと、
前記選局ステップにおいて検索された前記周波数と前記チャンネル番号とを対応づけて記憶するチャンネル周波数記憶ステップとをさらに備える
ことを特徴とする請求項４または５に記載のテレビジョン受像機の制御方法。
【請求項７】
テレビジョン受像機を制御する制御プログラムであって、
デフォルト値としてＰＰＶ−ＴＶモードを示す値をモード情報として記憶する記憶ステップと、
前記記憶ステップにおいて記憶された前記モード情報の値に基づいて、電源投入後に前記ＰＰＶ−ＴＶモードでの処理を実行する処理ステップとを前記テレビジョン受像機に実行させる
ことを特徴とするテレビジョン受像機の制御プログラム。
【請求項８】
前記ＰＰＶ−ＴＶモードは、各種設定を行うためのマスタモードと、利用者が番組を視聴するルームモードとを有し、デフォルト値として前記ＰＰＶ−ＴＶモードを示す値およびルームモードを示す値が前記モード情報として前記記憶ステップにおいて記憶される
ことを特徴とする請求項７に記載のテレビジョン受像機の制御プログラム。
【請求項９】
各チャンネルの周波数帯に基づいて、指定されたチャンネル番号の周波数を検索し、選局する選局ステップと、
前記選局ステップにおいて検索された前記周波数と前記チャンネル番号とを対応づけて記憶するチャンネル周波数記憶ステップとをさらに備える
ことを特徴とする請求項７または８に記載のテレビジョン受像機の制御プログラム。
【発明の詳細な説明】
【技術分野】
【０００１】
本発明はテレビジョン受像機に関し、主に業務用としてホテルや病院等でサーバーとのネットワークを構成して用いられる特殊な機能を有するテレビジョン受像機に関するものである。
【背景技術】
【０００２】
従来、例えばホテル用の特殊な機能を有するテレビジョン受像機であっても、出荷時には通常のテレビジョン受像機として機能する設定となっており、ホテルの客室に設置後、各種パラメータを設定してホテル用の機能、例えば、ＰＰＶ（Pay Per View）機能を有効にする作業が必要であった。
また、ホテル用テレビにおいて、最大音量の規制、電源オン時のチャンネルおよび音量指定、前面コントロールパネルの動作禁止、オンスクリーン表示およびオフタイマー機能の削除等の特殊機能をリモコンと前面コントロールパネルの同時操作により現場で自由に設定できるようにして、ホテルのいかなる仕様にも１つのモデルで対応でき、ホテル用テレビの標準化および開発の効率化を図ることができるようにしたものがある（例えば、特許文献１参照）。
【特許文献１】特開平６−２６１２６６号公報
【発明の開示】
【発明が解決しようとする課題】
【０００３】
しかしながら、従来のテレビジョン受像機は、出荷時には通常のテレビジョン受像機として機能するように設定がなされているため、テレビジョン受像機をホテルの客室に設置した後、メーカーのオペレータ等がＰＰＶ（Pay Per View）対応モードに切り替えたり、チャンネル選局周波数を指定したり、チャンネル番号と放送局とを対応づけたりといった各種設定を行わなければならなかった。
また、特許文献１に記載の発明においても、ホテル毎にホテル用テレビの特殊機能を設定する必要があり、作業が繁雑であるという問題があった。
本発明はこのような状況に鑑みてなされたものであり、上記問題点を解決できるテレビジョン受像機を提供することを目的とする。
【課題を解決するための手段】
【０００４】
請求項１に記載のテレビジョン受像機は、デフォルト値としてＰＰＶ−ＴＶモードを示す値をモード情報として記憶する記憶手段と、記憶手段によって記憶されているモード情報の値に基づいて、電源投入後にＰＰＶ−ＴＶモードでの処理を実行する処理手段とを備えることを特徴とする。
また、ＰＰＶ−ＴＶモードは、各種設定を行うためのマスタモードと、利用者が番組を視聴するルームモードとを有し、デフォルト値としてＰＰＶ−ＴＶモードを示す値およびルームモードを示す値がモード情報として記憶手段によって記憶されているようにすることができる。
また、各チャンネルの周波数帯に基づいて、指定されたチャンネル番号の周波数を検索し、選局する選局手段と、選局手段によって検索された周波数とチャンネル番号とを対応づけて記憶するチャンネル周波数記憶手段とをさらに備えるようにすることができる。
請求項４に記載のテレビジョン受像機の制御方法は、デフォルト値としてＰＰＶ−ＴＶモードを示す値をモード情報として記憶する記憶ステップと、記憶ステップにおいて記憶されたモード情報の値に基づいて、電源投入後にＰＰＶ−ＴＶモードでの処理を実行する処理ステップとを備えることを特徴とする。
また、ＰＰＶ−ＴＶモードは、各種設定を行うためのマスタモードと、利用者が番組を視聴するルームモードとを有し、デフォルト値としてＰＰＶ−ＴＶモードを示す値およびルームモードを示す値がモード情報として記憶ステップにおいて記憶されるようにすることができる。
また、各チャンネルの周波数帯に基づいて、指定されたチャンネル番号の周波数を検索し、選局する選局ステップと、選局ステップにおいて検索された周波数とチャンネル番号とを対応づけて記憶するチャンネル周波数記憶ステップとをさらに備えるようにすることができる。
請求項７に記載のテレビジョン受像機の制御プログラムは、テレビジョン受像機を制御する制御プログラムであって、デフォルト値としてＰＰＶ−ＴＶモードを示す値をモード情報として記憶する記憶ステップと、記憶ステップにおいて記憶されたモード情報の値に基づいて、電源投入後にＰＰＶ−ＴＶモードでの処理を実行する処理ステップとをテレビジョン受像機に実行させることを特徴とする。
また、ＰＰＶ−ＴＶモードは、各種設定を行うためのマスタモードと、利用者が番組を視聴するルームモードとを有し、デフォルト値としてＰＰＶ−ＴＶモードを示す値およびルームモードを示す値がモード情報として記憶ステップにおいて記憶されるようにすることができる。
また、各チャンネルの周波数帯に基づいて、指定されたチャンネル番号の周波数を検索し、選局する選局ステップと、選局ステップにおいて検索された周波数とチャンネル番号とを対応づけて記憶するチャンネル周波数記憶ステップとをさらに備えるようにすることができる。
【発明の効果】
【０００５】
本発明のテレビジョン受像機によれば、電源投入後に自動的にＰＰＶ−ＴＶモードに設定されるので、設置後の設定作業を不要とすることができ、設定作業に必要な時間やコストを削減することができる。
【発明を実施するための最良の形態】
【０００６】
図１は、本発明を適用したホテルにおけるＰＰＶ（Pay Per View）システムの一実施の形態の構成例を示すブロック図である。同図に示すように、本実施の形態は、テレビジョン受像機（ホテルテレビ（Hotel TV））１００と、テレビジョン受像機１００が接続されるＰＰＶターミナルＢＯＸ２００と、ＰＰＶターミナルＢＯＸ２００が接続されるホテルサーバ（Hotel Server）３００と、テレビジョン受像機１００を介してＰＰＶターミナルＢＯＸ２００を制御するＰＰＶリモコン４００と、オペレータ用リモコンとしての設定リモコン５００およびテレビ（ＴＶ）リモコン６００とから構成されている。テレビリモコン６００は、テレビジョン受像機１００が通常のテレビとして機能するときと、マスタモードで各種ＴＶ設定をするときに設定リモコン５００と組み合わせて利用する場合に用いられるものであり、設定リモコン５００は、テレビジョン受像機１００の各種設定を行うときに用いられるものである。
【０００７】
テレビジョン受像機１００は、後述するＰＰＶ−ＴＶモードに設定されているとき、ＰＰＶターミナルＢＯＸ２００から各チャンネルの映像音声信号（ＡＶ（Audio Visual）信号）を入力し、後述するマイコン（マイクロコンピュータ）１２０の制御下、入力した各チャンネルのうち所定のチャンネルを選局し、選局したチャンネルの映像音声信号の映像信号を映像処理回路１５０に供給し、音声信号を音声回路１４０に供給し、後述するノーマルＴＶモードに設定されているとき、アンテナまたは有線を介して供給された受信信号からマイコン１２０の制御下、所定のチャンネルを選局し、選局したチャンネルの映像音声信号のうち、映像信号を映像処理回路１５０に供給し、音声信号を音声回路１４０に供給するチューナｏｒＡＶ信号処理回路１１０と、後述するモード情報の値やリモコン信号受付拒否テーブル等の各種データを記憶するメモリ１３０と、テレビジョン受像機１００の前面に設けられた図示しない各種ＴＶボタンが操作されたとき、操作されたボタンに対応する操作信号をマイコン１２０に供給するＴＶボタン回路１６０と、所定の制御プログラムに従って各部を制御するマイコン１２０と、ＰＰＶリモコン４００から赤外線により送信されたリモコン信号を受信し、受信したリモコン信号に対応する制御データをマイコン１２０に供給するＩＲ（Infrared）回路１８０と、各部に電力を供給する電源回路１７０等から構成されている。尚、音声回路１４０と映像処理回路１５０の出力は、図示しないスピーカや表示部に供給されることで、音声および映像の視聴が可能となる。
【０００８】
ＰＰＶターミナルＢＯＸ２００は、ホテルサーバ３００に接続され、ＰＰＶリモコン４００によって指令されたチャンネルの映像音声信号の供給をホテルサーバ３００に要求し、ホテルサーバ３００より供給された上記チャンネルの映像音声信号をテレビジョン受像機１００のチューナｏｒＡＶ信号処理回路１１０に供給するようになっている。また、テレビジョン受像機１００のマイコン１２０に対して各種制御信号を供給するようになっている。
【０００９】
ホテルサーバ３００は、ＰＰＶターミナルＢＯＸ２００からの要求に応じて各種チャンネルの映像音声信号をＰＰＶターミナルＢＯＸ２００に供給するようになっている。
【００１０】
図２は、テレビジョン受像機１００のモードおよび遷移を示している。即ち、テレビジョン受像機１００は、通常のテレビとして機能するノーマルＴＶモード（Normal TVモード）と、ＰＰＶ−ＴＶとして機能するＰＰＶ−ＴＶモードとを有している。さらに、ＰＰＶ−ＴＶモードは、ルームモード（ROOMモード）とマスタモード（MASTERモード）とを有している。設定リモコン５００の図示しないマスタボタンを操作することによりノーマルＴＶモードからＰＰＶ−ＴＶモードへ遷移させることができるようになっている。また、ＰＰＶ−ＴＶモードにおけるメニュー選択によりＰＰＶ−ＴＶモードからノーマルＴＶモードへ遷移させることができるようになっている。
【００１１】
ルームモードでは、ＰＰＶリモコン４００と設定リモコン５００の使用が可能とされている。一方、マスタモードでは、設定リモコン５００とＴＶリモコン６００の使用が可能とされている。設定リモコン５００の図示しないマスタボタンを操作することにより、ルームモードからマスタモードへ遷移させることができるようになっている。また、設定リモコン５００の図示しないルームボタンを操作することにより、あるいはテレビジョン受像機１００の電源をオフにすることにより、マスタモードからルームモードへ遷移させることができるようになっている。
【００１２】
図３は、テレビジョン受像機１００に電源を投入した直後のマイコン１２０の処理手順を示している。まず、ステップＳ１において、マイコン１２０により、テレビジョン受像機１００の現在のモードがＰＰＶ−ＴＶモードであるか否かが判定される。
【００１３】
即ち、メモリ１３０には、テレビジョン受像機１００の現在のモードを示す値がモード情報として記憶されており、マイコン１２０は、メモリ１３０に記憶されているモード情報の値を読み出すことにより、現在設定されているモードの種類を判断する。モード情報としてはＰＰＶ−ＴＶモードおよびルームモードを示す値がデフォルト値として設定されている。
【００１４】
次に、ステップＳ２において、マイコン１２０は、テレビジョン受像機１００のモードをＰＰＶ−ＴＶモードのルームモードに設定する。マイコン１２０は、メモリ１３０に記憶されているモード情報の値に対応する処理を実行する。従って、テレビジョン受像機１００に対する最初の電源投入時や、設定リセット後の最初の電源投入時には、マイコン１２０は、メモリ１３０に記憶されているモード情報に基づいて、ルームモードに対応する各種処理を実行することになる。
【００１５】
一方、マイコン１２０により、テレビジョン受像機１００の現在のモードがＰＰＶ−ＴＶモードではないと判定された場合、ステップＳ３に進む。
【００１６】
ステップＳ３においては、マイコン１２０により、テレビジョン受像機１００のモードが通常のテレビとして機能するノーマルＴＶモードに設定される。
【００１７】
マイコン１２０は、メモリ１３０に記憶されているモード情報の値に従ってその値に対応するモードの処理を実行するので、メモリ１３０のモード情報としてノーマルＴＶモードを示す値が設定されている場合、マイコン１２０は、ノーマルＴＶモードに対応する各種処理を実行することになる。
【００１８】
ステップＳ２における処理、またはステップＳ３における処理が終了すると、本処理を終了する。
【００１９】
テレビジョン受像機１００のマイコンは、ＰＰＶリモコン４００、設定リモコン５００、およびＴＶリモコン６００からのリモコン信号の受け付けをそれぞれ設定されているモードに応じて受け付けるかまたは拒否するようになっている。
【００２０】
図４は、テレビジョン受像機１００のモードに応じて、各リモコンからのリモコン信号が受け付けられるかまたは拒否されるかを示すリモコン信号受付拒否テーブルである。このテーブルは、メモリ１３０に記憶される。このテーブルにおいて、記号「×」は、リモコン信号または操作信号が受け付けられることを示し、記号「−」は、拒否されることを示している。
【００２１】
以下の説明において、オンライン（ＯＮＬＩＮＥ）モードとは、テレビジョン受像機１００がＰＰＶターミナルＢＯＸ２００に接続されており、ＰＰＶターミナルＢＯＸ２００が正常に動作しているときのモードであり、スタンドアロンモードとは、テレビジョン受像機１００がＰＰＶターミナルＢＯＸ２００に接続されていないか、または接続されているがＰＰＶターミナルＢＯＸ２００が正常に動作していないときのモードである。
【００２２】
テレビジョン受像機１００のモードが、ＰＰＶ−ＴＶモードのオンラインモードのマスタモードである場合、マイコン１２０は、ＴＶリモコン６００から送信されたテレビ機能および他機能に対応するリモコン信号に対応する制御データを、ＩＲ回路１８０を介して受け付ける。また、テレビジョン受像機１００本体のＴＶボタンが操作されることによりＴＶボタン回路１６０からマイコン１２０に供給される操作信号も受け付ける。さらに、マイコン１２０は、ＰＰＶリモコン４００から送信されたリモコン信号および設定リモコン５００から送信されたリモコン信号も受け付ける。ＰＰＶリモコン４００から送信されたリモコン信号はＰＰＶターミナルＢＯＸ２００に供給される。
【００２３】
テレビジョン受像機１００のモードが、ＰＰＶ−ＴＶモードのオンラインモードのルームモードであって、リモコン（Ｒ／Ｃ）のボタン操作を受け付ける設定（Ｏｎ）となっている場合、マイコン１２０は、ＴＶリモコン６００から送信されたテレビ機能に対応するリモコン信号に対応する制御データを、ＩＲ回路１８０を介して受け付ける。さらに、マイコン１２０は、ＰＰＶリモコン４００から送信されたリモコン信号および設定リモコン５００から送信されたリモコン信号も受け付ける。ＰＰＶリモコン４００から送信されたリモコン信号はＰＰＶターミナルＢＯＸ２００に供給される。
【００２４】
テレビジョン受像機１００のモードが、ＰＰＶ−ＴＶモードのオンラインモードのルームモードであって、リモコン（Ｒ／Ｃ）のボタン操作を受け付けない設定（Ｏｆｆ）となっている場合、マイコン１２０は、ＴＶリモコン６００から送信されたテレビ機能に対応するリモコン信号に対応する制御データは受け付けない。一方、マイコン１２０は、ＰＰＶリモコン４００から送信されたリモコン信号および設定リモコン５００から送信されたリモコン信号を受け付ける。ＰＰＶリモコン４００から送信されたリモコン信号はＰＰＶターミナルＢＯＸ２００に供給される。
【００２５】
テレビジョン受像機１００のモードが、ＰＰＶ−ＴＶモードのオンラインモードのルームモードであって、ＴＶボタンの操作を受け付ける設定（Ｏｎ）となっている場合、マイコン１２０は、ＴＶボタンの操作に対応する操作信号を、ＴＶボタン回路１６０を介して受け付ける。さらに、マイコン１２０は、ＰＰＶリモコン４００から送信されたリモコン信号および設定リモコン５００から送信されたリモコン信号も受け付ける。ＰＰＶリモコン４００から送信されたリモコン信号はＰＰＶターミナルＢＯＸ２００に供給される。
【００２６】
テレビジョン受像機１００のモードが、ＰＰＶ−ＴＶモードのオンラインモードのルームモードであって、ＴＶボタンの操作を受け付けない設定（Ｏｆｆ）となっている場合、マイコン１２０は、ＴＶボタンの操作に対応する操作信号は受け付けない。一方、マイコン１２０は、ＰＰＶリモコン４００から送信されたリモコン信号および設定リモコン５００から送信されたリモコン信号を受け付ける。ＰＰＶリモコン４００から送信されたリモコン信号はＰＰＶターミナルＢＯＸ２００に供給される。
【００２７】
テレビジョン受像機１００のモードが、ＰＰＶ−ＴＶモードのスタンドアロンモードのマスタモードである場合、マイコン１２０は、ＴＶリモコン６００から送信されたテレビ機能および他機能に対応するリモコン信号に対応する制御データを、ＩＲ回路１８０を介して受け付ける。また、テレビジョン受像機１００本体のＴＶボタンが操作されることによりＴＶボタン回路１６０からマイコン１２０に供給される操作信号も受け付ける。さらに、マイコン１２０は、設定リモコン５００から送信されたリモコン信号も受け付ける。
【００２８】
テレビジョン受像機１００のモードが、ＰＰＶ−ＴＶモードのスタンドアロンモードのルームモードであって、リモコン（Ｒ／Ｃ）のボタン操作を受け付ける設定（Ｏｎ）となっている場合、マイコン１２０は、ＴＶリモコン６００から送信されたテレビ機能に対応するリモコン信号に対応する制御データを、ＩＲ回路１８０を介して受け付ける。さらに、マイコン１２０は、設定リモコン５００から送信されたリモコン信号も受け付ける。
【００２９】
テレビジョン受像機１００のモードが、ＰＰＶ−ＴＶモードのスタンドアロンモードのルームモードであって、リモコン（Ｒ／Ｃ）のボタン操作を受け付けない設定（Ｏｆｆ）となっている場合、マイコン１２０は、ＴＶリモコン６００から送信されたテレビ機能および他機能に対応するリモコン信号に対応する制御データは受け付けない。一方、マイコン１２０は、設定リモコン５００から送信されたリモコン信号を受け付ける。
【００３０】
テレビジョン受像機１００のモードが、ＰＰＶ−ＴＶモードのスタンドアロンモードのルームモードであって、ＴＶボタンの操作を受け付ける設定（Ｏｎ）となっている場合、マイコン１２０は、ＴＶボタンの操作に対応する操作信号をＴＶボタン回路１６０を介して受け付ける。さらに、マイコン１２０は、設定リモコン５００から送信されたリモコン信号も受け付ける。
【００３１】
テレビジョン受像機１００のモードが、ＰＰＶ−ＴＶモードのスタンドアロンモードのルームモードであって、ＴＶボタンの操作を受け付けない設定（Ｏｆｆ）となっている場合、マイコン１２０は、ＴＶボタンの操作に対応する操作信号は受け付けない。一方、マイコン１２０は、設定リモコン５００から送信されたリモコン信号を受け付ける。
【００３２】
テレビジョン受像機１００のモードが、ノーマルＴＶモードである場合、マイコン１２０は、ＴＶリモコン６００から送信されたテレビ機能および他機能に対応するリモコン信号に対応する制御データをＩＲ回路１８０を介して受け付ける。また、テレビジョン受像機１００本体のＴＶボタンが操作されることによりＴＶボタン回路１６０からマイコン１２０に供給される操作信号も受け付ける。さらに、マイコン１２０は、設定リモコン５００から送信されたマスタボタンまたはルームボタンが操作されたことを示すリモコン信号も受け付ける。
【００３３】
テレビジョン受像機１００をホテルの客室に設置し、ＰＰＶターミナルＢＯＸ２００に接続して電源を投入すると、図３を参照して上述したように、テレビジョン受像機１００のモードは、ＰＰＶ−ＴＶモードのルームモードに設定される。
【００３４】
マイコン１２０は、ＰＰＶ−ＴＶターミナルＢＯＸ２００経由でホテルサーバ３００よりチャンネル番号を取得しそのチャンネル番号に該当する周波数帯のみをスキャンしてそのチャンネルの周波数を検索し、そのチャンネル番号と検索した周波数とを対応づけてメモリ１３０に記憶させる。あるいは、デフォルト値として設定されているチャンネルの周波数帯をメモリ１３０に記憶させておいてもよい。
【００３５】
利用者がＰＰＶリモコン４００を操作して新たなチャンネルを指定する度に同様の処理が実行され、メモリ１３０にチャンネル番号と周波数とが記憶される。
【００３６】
ＰＰＶターミナルＢＯＸ２００は、利用者がＰＰＶリモコン４００を用いて指定するチャンネル番号と放送局名との対応を示すラベル情報を有している。さらに、ＰＰＶリモコン４００を用いて指定されるチャンネル番号と実際のチャンネル番号との対応表を有している。従って、ＰＰＶターミナルＢＯＸ２００は、利用者がＰＰＶリモコン４００を用いて指定したチャンネル番号を対応表に基づいて実際のチャンネル番号に変換し、実際のチャンネル番号で提供される番組をホテルサーバ３００より受信してテレビジョン受像機１００に送信し、そのチャンネルを選局するようにテレビジョン受像機１００に指示する。
【００３７】
例えば、ＰＰＶリモコン４００によって指定されるチャンネル「８」がチャンネル「１２」に対応しているとき、ＰＰＶターミナルＢＯＸ２００は、ホテルサーバ３００に対してチャンネル「１２」の番組の提供を要求する。ホテルサーバ３００は、ＰＰＶターミナルＢＯＸ２００からの要求に応じてチャンネル「１２」の番組をＰＰＶターミナルＢＯＸ２００に供給する。ＰＰＶターミナルＢＯＸ２００は、ホテルサーバ３００より供給されたチャンネル「１２」の映像音声信号をテレビジョン受像機１００に供給しそのチャンネルを選局するようにテレビジョン受像機１００に指示する。
【００３８】
ＰＰＶ−ＴＶモードの場合、ＰＰＶリモコン４００から送信されるリモコン信号は、マイコン１２０の制御下、ＰＰＶターミナルＢＯＸ２００にそのまま供給され、ＰＰＶターミナルＢＯＸ２００は、マイコン１２０経由で供給されたリモコン信号に対応する処理を実行する。
【００３９】
なお、上記実施の形態の構成及び動作は例であって、本発明の趣旨を逸脱しない範囲で適宜変更することができることは言うまでもない。
【産業上の利用可能性】
【００４０】
本発明の活用例として、例えば、ホテル用としてだけでなく、様々な業種においてＰＰＶ対応テレビジョン受像機を使用する場合にも本発明を適用することができる。
【図面の簡単な説明】
【００４１】
【図１】本発明が適用されるホテルにおけるＰＰＶ（Pay Per View）システムの一実施の形態の構成例を示すブロック図である。
【図２】テレビジョン受像機のモードおよび遷移を示している。
【図３】テレビジョン受像機に電源を投入した直後のマイコンの処理手順を示すフローチャートである。
【図４】リモコン信号受付拒否テーブルの例を示す図である。
【符号の説明】
【００４２】
１００  テレビジョン受像機
１１０  チューナｏｒＡＶ信号処理回路
１２０  マイコン
１３０  メモリ
１４０  音声回路
１５０  映像処理回路
１６０  ＴＶボタン回路
１７０  電源回路
２００  ＰＰＶターミナルＢＯＸ
３００  ホテルサーバ
４００  ＰＰＶリモコン
５００  設定リモコン
６００  ＴＶリモコン
【図１】
2007180807.tif 000003
【図２】
2007180807.tif 000004
【図３】
2007180807.tif 000005
【図４】
2007180807.tif 000006